(57)【要約】【課題】釣針が先端に取付けられた複数の枝糸を幹糸に固定した釣仕掛けを、簡単に巻取ることができると共に、巻取った状態で釣仕掛けを確実に洗浄することができる釣仕掛け用巻具及びその使用方法を提供する。【解決手段】釣仕掛け用巻具１０に、所定方向に延びる棒状とされ釣針２４を係止可能な複数の係止棹１１と、係止棹１１の延びる方向に対して略直角方向に延び複数の係止棹１１を所定間隔で保持する複数の保持棹１２とで格子状に形成された巻具本体部１３と、巻具本体１３における係止棹１１が延びる方向の両端に配置され接続具２１を係止可能な複数の突起１４とを具備させる。この釣仕掛け用巻具１０の使用方法は、接続具２１を突起１４の一つに係止した上で、幹糸２２を巻具本体１３に順次巻付けると共に、枝糸２３に張力がかかるように釣針２４を係止棹１１に係止させ、最後に他方の接続具２１を突起１４に係止する。【選択図】図３
2008109890.tif 000002
【特許請求の範囲】
【請求項１】
両端に接続具が取付けられる幹糸と、該幹糸に所定間隔で固定される複数の枝糸と、該枝糸の先端に取付けられる釣針とを備えた釣仕掛けを巻取るための釣仕掛け用巻具であって、
所定方向に延びる棒状とされ前記釣仕掛けの前記釣針を係止可能な複数の係止棹と、該係止棹の延びる方向に対して略直角方向に延び複数の該係止棹を所定間隔で保持する複数の保持棹とで格子状に形成された巻具本体と、
該巻具本体における前記係止棹が延びる方向の両端に配置され前記釣仕掛けの前記接続具を係止可能な複数の突起と
を具備することを特徴とする釣仕掛け用巻具。
【請求項２】
前記巻具本体は、複数の係止棹が複数の前記保持棹によって所定径の円周上に保持されることで円筒状に形成されていることを特徴とする請求項１に記載の釣仕掛け用巻具。
【請求項３】
複数の前記係止棹が、３ｍｍ〜７ｍｍの間隔で前記保持棹によって保持されていることを特徴とする請求項１又は請求項２に記載の釣仕掛け用巻具。
【請求項４】
請求項１から請求項３までの何れか一つに記載の釣仕掛け用巻具に対して、前記釣仕掛けにおける一方の前記接続具を、前記巻具本体における一方側の前記突起の一つに係止した上で、前記幹糸同士が交差しないように前記係止棹が延びる方向に対して略直角方向となるように、前記幹糸を前記接続具が係止された一方側から他方側へ向かって順次前記巻具本体に巻付けると共に、巻付けた状態で少なくとも前記枝糸に張力がかかるように前記釣針を前記係止棹に係止させ、最後に他方の前記接続具を、前記幹糸に張力がかかるように他方側の前記突起の一つに係止することを特徴とする釣仕掛け用巻具の使用方法。
【発明の詳細な説明】
【技術分野】
【０００１】
本発明は、釣針が先端に取付けられた複数の枝糸を幹糸に固定した釣仕掛けを巻取るための釣仕掛け用巻具、及びその使用方法に関するものである。
【背景技術】
【０００２】
従来より、さびき釣や胴突き釣等に用いられる釣仕掛けとしては、先端に釣針を取付けた複数の枝糸を、所定の間隔で幹糸に固定したものが知られている。この釣仕掛けにおける幹糸の両端には接続具が取付けられており、一端側の接続具には釣竿等から延びる釣糸が接続されると共に、他端側の接続具にはおもりが接続されるようになっている。
【０００３】
そして、この釣仕掛けを保管したり、持運んだりするために種々の巻具等が提案されており、例えば、特許文献１では、上端側に釣針を係止する複数の針係止部が形成されると共に下端側に幹糸を係止する複数の幹糸係止部が形成され、幹糸係止部と針係止部の一方側から夫々幹糸と釣針を順次係止して、釣仕掛けを保持するようにした板状の台紙が提案されている。また、特許文献２では、巻回具本体に長尺状のシート材が巻回可能とされ、釣仕掛けにおける一端側の接続具からシート材と共に巻回具本体に順次巻回して、釣仕掛けが絡まること無く巻取るようにしたものが提案されている。
【０００４】
【特許文献１】特開２００６−３４２０３号公報
【特許文献２】特開２００３−２３５４２２号公報
【発明の開示】
【発明が解決しようとする課題】
【０００５】
しかしながら、特許文献１のものでは、台紙に対して幹糸及び釣針を、幹糸係止部及び針係止部に一方側から順次係止させていかなければならず、釣仕掛けを台紙に保持させるのに手間がかかるものとなっていた。また、枝糸が弛まない代わりに幹糸係止部において余分な幹糸がループした状態で弛んでおり、ループした幹糸同士が絡まる恐れがある。更に、使用した釣仕掛けを台紙ごと洗浄した場合、釣仕掛けが板状の台紙に略密着した状態となっているので、釣仕掛け全体を充分に洗浄することができなかったり、水切れが悪かったりして、保管状態によっては釣針等の金属部品等が腐蝕して釣仕掛けが使えなくなってしまう恐れがある。
【０００６】
一方、特許文献２のものでは、シート材により釣仕掛けを絡まること無く良好に巻取ることができるものの、シート材の材質や厚さ、及び釣針の大きさ等によっては、シート材と共に巻取られる釣針によって、シート材が破れたり、釣仕掛けを上手く巻取ることができなかったりする問題がある。また、使用した釣仕掛けを巻取った場合、釣仕掛けがシート材の間に保持されるので、巻取った状態では海水などに浸かった釣仕掛けを洗浄することができず、保管中に釣仕掛けが腐蝕してしまう恐れがある。
【０００７】
そこで、本願発明は上記の実状に鑑み、釣針が先端に取付けられた複数の枝糸を幹糸に固定した釣仕掛けを、簡単に巻取ることができると共に、巻取った状態で釣仕掛けを確実に洗浄することができる釣仕掛け用巻具及びその使用方法の提供を課題とする。
【課題を解決するための手段】
【０００８】
本発明に係る釣仕掛け用巻具は、「両端に接続具が取付けられる幹糸と、該幹糸に所定間隔で固定される複数の枝糸と、該枝糸の先端に取付けられる釣針とを備えた釣仕掛けを巻取るための釣仕掛け用巻具であって、所定方向に延びる棒状とされ前記釣仕掛けの前記釣針を係止可能な複数の係止棹と、該係止棹の延びる方向に対して略直角方向に延び複数の該係止棹を所定間隔で保持する複数の保持棹とで格子状に形成された巻具本体と、該巻具本体における前記係止棹が延びる方向の両端に配置され前記釣仕掛けの前記接続具を係止可能な複数の突起とを具備する」ことを特徴とする。
【０００９】
ここで、「巻具本体」としては、外形が板状に形成されたもの、外形が円筒状に形成されたもの、外形が多角柱状に形成されたもの、等を挙げることができる。また、保持棹により係止棹を保持する「所定間隔」としては、釣針を引っ張った際に枝糸や幹糸が伸びる範囲内とすることが望ましく、例えば、３ｍｍ〜７ｍｍの間が望ましい。
【００１０】
本発明によると、両端に接続具が取付けられた幹糸に、釣針が先端に取付けられた複数の枝糸を固定した釣仕掛けを、巻取可能な釣仕掛け用巻具に、釣針を係止可能な複数の係止棹と複数の係止棹を所定間隔で保持する複数の保持棹とで格子状に形成された巻具本体と、巻具本体の両端に配置され接続具を係止可能な複数の突起とを備えたものである。
【００１１】
これにより、釣仕掛けにおける一方の接続具を、突起の一つに係止した上で、幹糸同士が交差しないように係止棹が延びる方向に対して略直角方向となるように、幹糸を突起に接続具を係止した一方側から他方側へ向かって順次巻具本体に巻付けると共に、巻付けた状態で少なくとも枝糸に張力がかかるように引っ張って釣針を係止棹に係止させ、最後に他方の接続具を、幹糸に張力がかかるように他方側の突起の一つに係止することで、釣仕掛けをその幹糸や枝糸が弛むこと無く簡単に巻取ることができる。また、釣仕掛け用巻具に巻取られた釣仕掛けを外す時は、上記とは逆の手順を行うことで簡単に釣仕掛けを外すことができる。
【００１２】
また、釣仕掛けが巻回される巻具本体が格子状とされているので、釣仕掛け用巻具に釣仕掛けを巻回した状態で、釣仕掛け全体を容易に洗浄することができると共に、洗浄した釣仕掛け等の水分を簡単に除去することができ、使用後の釣仕掛けが腐蝕するのを防止することができ、釣仕掛けを良好な状態で保管することができる。
【００１３】
また、本発明に係る釣仕掛け用巻具は、上記の構成に加えて、「前記巻具本体は、複数の係止棹が複数の前記保持棹によって所定径の円周上に保持されることで円筒状に形成されている」ことを特徴とする。
【００１４】
ところで、釣仕掛け用巻具の巻具本体の外形形状を板状とした場合、巻具本体の表側と裏側を通るように釣仕掛けが巻回されるため、その表側と裏側との境目となる上端部分や下端部分では巻回される釣仕掛けの変形量が大きく、例えば、巻具本体の大きさ、釣仕掛けの幹糸や枝糸の長さ、或いは釣針の大きさ等の条件によって、巻具本体に巻回された釣仕掛けの釣針が、上端部分或いは下端部分に来てしまい、枝糸等が引っ張られた良好な状態で釣針を係止することができなくなる恐れがある。
【００１５】
本発明によると、釣仕掛け用巻具の巻具本体を、複数の係止棹が複数の保持棹によって所定径の円周上に保持された円筒状としたものである。これにより、釣仕掛けを円筒状の巻具本体表面に巻回すようにすることが可能となり、巻具本体を板状とした場合と比較して、巻回される釣仕掛けが他の部分よりも大きく変形する部分が無く、略均一な状態で巻回すことができるので、巻具本体の大きさ、釣仕掛けの幹糸や枝糸の長さ、或いは釣針の大きさ等の条件等が変化しても、釣針を枝糸等が引っ張られた良好な状態で所定の係止棹に係止させることができ、枝糸等が弛むこと無く釣仕掛けを良好に巻取ることができる。
【００１６】
また、巻具本体が円筒状とされており裏表が無いので、どこからでも釣仕掛けを巻き始めることができると共に、巻具本体に巻回し易いものとすることができる。
【００１７】
更に、本発明に係る釣仕掛け用巻具は、上記の構成に加えて、「複数の前記係止棹が、３ｍｍ〜７ｍｍの間隔で前記保持棹によって保持されている」ことを特徴とする。ここで、係止棹の間隔を３ｍｍ〜７ｍｍの間としたのは、係止棹同士の間隔が３ｍｍよりも狭いと、釣針を係止棹に係止させるために、係止棹同士の間に釣針の先端を挿入する作業がし辛くなるためであり、また、係止棹同士の間隔が７ｍｍよりも広いと、釣針を引っ張っることで枝糸等を伸ばして次の係止棹に釣針を係止させようとしても、枝糸等が次の係止棹まで伸びず、枝糸等が弛まない状態で釣針を係止棹に係止させることができなくなるからである。
【００１８】
本発明によると、巻具本体における複数の係止棹を、保持棹によって３ｍｍ〜７ｍｍの間隔で保持するようにしたものである。これにより、枝糸の先端に取付けられた釣針を引っ張って係止棹に釣針を係止させる際に、枝糸等が伸びる範囲内に係止棹を配置することができ、枝糸等が弛まない状態で係止棹に釣針を確実に係止させることができる。また、係止棹同士の間隔が狭すぎず、釣針の係止棹への係止作業を簡単に行うことができる。
【００１９】
本発明に係る釣仕掛け用巻具の使用方法は、「請求項１から請求項３までの何れか一つに記載の釣仕掛け用巻具に対して、前記釣仕掛けにおける一方の前記接続具を、前記巻具本体における一方側の前記突起の一つに係止した上で、前記幹糸同士が交差しないように前記係止棹が延びる方向に対して略直角方向となるように、前記幹糸を前記接続具が係止された一方側から他方側へ向かって順次前記巻具本体に巻付けると共に、巻付けた状態で少なくとも前記枝糸に張力がかかるように前記釣針を前記係止棹に係止させ、最後に他方の前記接続具を、前記幹糸に張力がかかるように他方側の前記突起の一つに係止する」ことを特徴とする。
【００２０】
本発明によると、上述した釣仕掛け用巻具に、釣仕掛けの一方の接続具を、突起の一つに係止した上で、幹糸同士が交差しないように係止棹が並んだ方向に、幹糸を接続具が係止された一方側から他方側へ向かって順次巻具本体に巻付けると共に、巻付けた状態で少なくとも枝糸に張力がかかるように釣針を引っ張って係止棹に釣針を係止させ、最後に他方の接続具を、幹糸に張力がかかるように引っ張って他方側の突起の一つに係止することで釣仕掛けを巻取る釣仕掛け用巻具の使用方法である。
【００２１】
これにより、釣仕掛けが絡まること無く、簡単に巻取ることができると共に、上述した作用効果と同様の作用効果を奏することができる。
【発明の効果】
【００２２】
上記のように、本発明によると、釣針が先端に取付けられた複数の枝糸を幹糸に固定した釣仕掛けを、簡単に巻取ることができると共に、巻取った状態で釣仕掛けを確実に洗浄することができる釣仕掛け用巻具及びその使用方法を提供することができる。
【発明を実施するための最良の形態】
【００２３】
以下、本発明を実施するための最良の形態である釣仕掛け用巻具について、図１乃至図３に基づいて詳細に説明する。図１は、釣仕掛けの一例を概略で示す正面図である。図２（Ａ）は本発明に係る釣仕掛け用巻具の全体構成を示す斜視図であり、（Ｂ）は釣仕掛け用巻具の側面図であり、（Ｃ）は釣仕掛け用巻具の正面図である。図３は、図２に示す釣仕掛け用巻具の使用方法を示す説明図である。
【００２４】
まず、本実施形態で用いられる釣仕掛け２０は、さびき釣等に用いられるものであり、図１に示すように、両端に接続具２１が取付けられた幹糸２２と、幹糸２２に所定間隔で固定される複数の枝糸２３と、枝糸２３の先端に取付けられる釣針２４とを備えている。この釣仕掛け２０は、一方の接続具２１に釣竿等から延びる釣糸を接続すると共に、他方の接続具２１におもりを接続した状態で釣に用いられる。なお、図中符号２５は、疑似餌である。また、本例では、六つの枝糸２３が固定されたものを示したが、固定される枝糸２３の数を適宜の数とすることができ、図１に示した形態に限定するものではない。
【００２５】
次に、本実施形態の釣仕掛け用巻具１０は、図２に示すように、所定方向に延びる棒状とされ釣仕掛け２０の釣針２１を係止可能な複数の係止棹１１と、係止棹１１の延びる方向に対して略直角方向に延び複数の係止棹１１を所定間隔で保持する複数の保持棹１２とで格子状に形成された巻具本体１３と、巻具本体１３における係止棹１１が延びる方向の両端に配置され釣仕掛け２０の接続具２１を係止可能な複数の突起１４とを備えている。
【００２６】
本例の巻具本体１３は、図示するように、複数の係止棹１１が、円環状に形成された保持棹１２によって、所定径の円周上に略等間隔で保持されており、これにより、巻具本体１３が円筒状に形成されている。なお、本例では、複数の係止棹１１が、３ｍｍ〜７ｍｍの間隔で保持棹１２によって保持されている。
【００２７】
また、本例では、巻具本体１３の両端に、円環状の端部部材１５が固定されており、この端部部材１５の円筒状の外周面に、複数の突起１４が所定間隔で放射状に突出するように備えられている。なお、本例では、複数の突起１４が、５ｍｍ〜１０ｍｍの間隔で配置されている。
【００２８】
なお、本実施形態の釣仕掛け用巻具１０は、耐水性及び耐腐食性に優れた樹脂製とされており、樹脂の他に金属製としても良い。
【００２９】
続いて、本実施形態における釣仕掛け用巻具１０の使用方法について説明する。まず、釣仕掛け２０の一方の接続具２１を突起１４の一つに係止する。そして、その接続具２１に繋がれた幹糸２２を、係止棹１１が延びる方向に対して略直角方向となるように巻具本体１３に巻回す、つまり、幹糸２２を巻具本体１３の周方向に巻回す。その際に、巻回した幹糸２２同士が交差しないようにすると共に、巻回した幹糸２２が弛まないように引っ張りながら巻具本体１３に巻付ける。
【００３０】
そして、幹糸２２と共に幹糸２２から分岐する枝糸２３も同様に巻具本体１３に巻付け、枝糸２３の先端に取付けられた釣針２４を巻具本体１３の係止棹１１に係止させる場合は、釣針２４を引っ張って枝糸２３を伸ばし、釣針２４よりも先にある係止棹１１に釣針２４を引っ掛けて係止する（図３（Ａ）参照）。これにより、釣針２４を取付けた枝糸２３に張力がかかった状態となり、枝糸２３が弛まないようになる。
【００３１】
上述の手順で、最初に釣仕掛け２０の接続具２１を突起１４に係止した側から、他端側（図３中、右側）へ向かって順次釣仕掛け２０を巻具本体１３に巻付けて行き、最後に、幹糸２２の他端に取付けられた接続具２１を、突起１４に係止する。その際に、接続具２１を引っ張って幹糸２２を伸ばし、一つ先の突起１４に接続具２１を係止させることで、幹糸２１に張力がかかった状態となって、幹糸２１が弛まないようになり、釣仕掛け２０が良好な状態で釣仕掛け用巻具１０に巻取られることとなる。
【００３２】
なお、釣仕掛け用巻具１０に巻回された釣仕掛け２０を外す場合は、上述の手順とは逆の手順で釣仕掛け２０を外しても良いし、巻具本体１３に巻回された幹糸２２及び枝糸２３が互いに交差しないように巻回されておれば、両端の突起１４に係止された接続具２１のどちら側からでも接続具２１を外して釣仕掛け２０を外すことができる。また、釣仕掛け用巻具１０に釣仕掛け２０を巻付ける際に、釣仕掛け２０の捩れを取りながら巻付けるようにすることが望ましく、釣仕掛け２０に巻癖が付くのを防止することができる。
【００３３】
また、図２に示すように、釣仕掛け用巻具１０では、保持棹１２によって円周上に保持された複数の係止棹１１により形成される外周径よりも、保持棹１２の外径の方が大径とされているので、巻具本体１３に巻回された釣仕掛け２０が、係止棹１１の延びる方向に大きく移動しようとしても、保持棹１２によりその移動が阻止されるので、巻取られた釣仕掛け２０の巻具合が悪くなるのを防止できるようになっている。
【００３４】
このように、本実施形態によると、釣仕掛け２０における一方の接続具２１を、突起１４の一つに係止した上で、幹糸２２同士が交差しないように係止棹１１が延びる方向に対して略直角方向となるように、幹糸２２を接続具２１が係止された一方側から他方側へ向かって順次巻具本体１３に巻付けると共に、巻付けた状態で少なくとも枝糸２３に張力がかかるように引っ張って釣針２４を係止棹１１に係止させ、最後に他方の接続具２１を、幹糸２２に張力がかかるように他方側の突起１４の一つに係止することで、釣仕掛け２０の幹糸２２や枝糸２３が弛むこと無く簡単に巻取ることができる。また、釣仕掛け用巻具１０に巻取られた釣仕掛け２０を外す時は、上記とは逆の手順を行うことで簡単に釣仕掛け２０を外すことができる。
【００３５】
また、釣仕掛け２０が巻回される巻具本体１３が格子状とされているので、釣仕掛け用巻具１０に釣仕掛け２０を巻回した状態で、釣仕掛け２０全体を容易に洗浄することができると共に、洗浄した釣仕掛け２０の水分を簡単に除去することができ、使用後の釣仕掛け２０が腐蝕するのを防止することができ、釣仕掛け２０を良好な状態で保管することができる。
【００３６】
更に、釣仕掛け用巻具１０の巻具本体１３を、円筒状としており、巻具本体１３を板状とした場合と比較して、巻回される釣仕掛け２０が他の部分よりも大きく変形する部分が無く、略均一な状態で巻回すことができるので、巻具本体１３の大きさ、釣仕掛け２０の幹糸２２や枝糸２３の長さ、或いは釣針２４の大きさ等の条件等が変化しても、釣針２４を枝糸２３等が引っ張られた良好な状態で所定の係止棹１１に係止させることができ、枝糸２３等が弛むこと無く釣仕掛け２０を良好に巻取ることができる。また、巻具本体１３が円筒状とされており裏表が無いので、どこからでも釣仕掛け２０を巻き始めることができると共に、巻具本体１３に巻回し易いものとすることができる。
【００３７】
また、巻具本体１３における複数の係止棹１１を、保持棹１２によって３ｍｍ〜７ｍｍの間隔で保持するようにしているので、これにより、枝糸２３の先端に取付けられた釣針２４を引っ張って係止棹１１に釣針２４を係止させる際に、枝糸２３等が伸びる範囲内に係止棹１１を配置することができ、枝糸２３等が弛まない状態で係止棹１１に釣針２４を確実に係止させることができる。また、係止棹１１同士の間隔が狭すぎず、釣針２４の係止棹１１への係止作業を簡単に行うことができる。
【００３８】
以上、本発明について好適な実施形態を挙げて説明したが、本発明はこれらの実施形態に限定されるものではなく、以下に示すように、本発明の要旨を逸脱しない範囲において、種々の改良および設計の変更が可能である。
【００３９】
すなわち、本実施形態では、釣仕掛け用巻具１０として、格子状の巻具本体１３を円筒状に形成したものを示したが、これに限定するものでは無く、図４に示すような形態の釣仕掛け用巻具３０としても良い。この釣仕掛け用巻具３０は、図示するように、図中左右方向に延びる棒状の複数の係止棹３１と、係止棹３１の延びる方向に対して略直角方向に延び複数の係止棹３１を所定間隔で保持する複数の保持棹３２とで格子状且つ板状に形成された巻具本体部３３と、巻具本体３３における係止棹３１が延びる方向の両端に配置された複数の突起３４とを備えている。この釣仕掛け用巻具３０に釣仕掛け２０を巻付ける場合は、図中左側の上下何れかの突起３４に、接続具２１を係止して巻き始める。
【００４０】
この釣仕掛け用巻具３０は、巻具本体３３を板状としたものであり、これにより、上述した釣仕掛け用巻具１０と略同様の作用効果を奏することができる他に、円筒状のものと比較して厚さを薄くすることができ、保管や持ち運びがし易いものとなっている。なお、釣仕掛け用巻具３０の両端に備えられた突起３４の配置が、左右で異なるものを示したが、左側の突起３４の配置を、右側の突起３４と同様の配置としても良く、これにより、左右何れの側からでも釣仕掛け２０を巻き始めることができる。
【図面の簡単な説明】
【００４１】
【図１】本発明に係る釣仕掛けの一例を概略で示す正面図である。
【図２】（Ａ）は本発明に係る釣仕掛け用巻具の全体構成を示す斜視図であり、（Ｂ）は釣仕掛け用巻具の側面図であり、（Ｃ）は釣仕掛け用巻具の正面図である。
【図３】図２に示す釣仕掛け用巻具の使用方法を示す説明図である。
【図４】図２とは異なる形態の本発明に係る釣仕掛け用巻具を示す正面図である。
【符号の説明】
【００４２】
１０，３０  釣仕掛け用巻具
１１，３１  係止棹
１２，３２  保持棹
１３，３３  巻具本体
１４，３４  突起
２０  釣仕掛け
２１  接続具
２２  幹糸
２３  枝糸
２４  釣針
【図１】
2008109890.tif 000003
【図２】
2008109890.tif 000004
【図３】
2008109890.tif 000005
【図４】
2008109890.tif 000006